(57)【特許請求の範囲】
【請求項１】
駆動スプロケットと従動スプロケットの間にチェーンを巻回して、正逆転動力を伝動可能としたチェーン伝動機構のチェーン張り装置において、駆動スプロケットと従動スプロケットの間のチェーンの両外側に、チェーン張り１・１’を一対設け、各チェーン張り１・１’の上端部を、各々ピン４、４’により可動ステー１０に枢結し、該チェーン張り１・１’の他端をチェーンケース５の内面に当接させ、前記可動ステー１０は、略逆「Ｕ」字状に構成すると共に中央部をピン９によりチェーンケース５に揺動自在に支持したことを特徴とするチェーン張り装置。
【発明の詳細な説明】
【０００１】
【発明の属する技術分野】
本発明は、原動機側の駆動スプロケットから従動側の従動スプロケットにチェーンを介して、動力を正逆転伝動を可能とするチェーン伝動機構のチェーン張り装置に関し、特に、正逆転ロータリー耕耘装置のチェーンケース内のチェーン張りの構造に関する。
【０００２】
【従来の技術】
従来から駆動スプロケットと従動スプロケットの間にチェーンを巻回して、動力を伝動する場合、駆動スプロケットへチェーンを引っ張って巻き込む側は大きな張力を受けチェーンは張られ（以下「張り側」とする）、逆側の、駆動スプロケットから従動スプロケットに向かってチェーンが出ていく側は弛む（以下「弛み側」とする）ので、騒音を発したり、外れたりしないように「弛み側」にはチェーン張り装置が配置される。
そして、駆動スプロケットを正逆転可能に構成した場合には、「張り側」及び「弛み側」の両側にチェーン張りが設けられ、従来の正逆転可能なロータリー耕耘装置においては、略対称に左右同一のチェーン張りを設けていた。
【０００３】
【発明が解決しようとする課題】
一般に、チェーンをガイドするチェーン張りの形状としては、弛み側では、チェーンの脈動を抑えるために中心側へ大きな弧を描いた形状とし、張り側では、その分チェーンの張力が増すために外側へ大きくたわむ形状（直線的な弧状）としなければならないが、左右同一のチェーン張りを用いて、弛み側での騒音を軽減するために、中心側に大きくたわむ形状とすると、張り側も同じチェーン張りが配置されているので、このチェーン張りには大きな張り出し応力がかかり、張り側のチェーン張りが破損するなどの問題があった。
逆に、張り側にかかる応力を小さくする形状にすると、弛み側での脈動が大きくなり騒音が激しくなるばかりか、チェーン張りに繰り返し応力が働き、疲労破壊の原因ともなるという問題があった。
本発明は、前記の点に鑑み、正逆転可能なチェーン伝動装置におけるチェーン張り装置の破損などの問題がなく低騒音を実現可能なチェーン張り装置を提供することを目的とする。
【０００４】
【課題を解決するための手段】
本発明の解決しようとする課題は以上の如くであり、次に該課題を解決するための手段を説明する。
駆動スプロケットと従動スプロケットの間にチェーンを巻回して、正逆転動力を伝動可能としたチェーン伝動機構のチェーン張り装置において、駆動スプロケットと従動スプロケットの間のチェーンの両外側に、チェーン張り１・１’を一対設け、各チェーン張り１・１’の上端部を、各々ピン４、４’により可動ステー１０に枢結し、該チェーン張り１・１’の他端をチェーンケース５の内面に当接させ、前記可動ステー１０は、略逆「Ｕ」字状に構成すると共に中央部をピン９によりチェーンケース５に揺動自在に支持したものである。
【０００５】
【発明の実施の形態】
次に本発明の実施の形態を説明する。
図１は本発明のチェーン張り装置を有するロータリ耕耘装置を装着したトラクターの全体側面図、図２は本発明のチェーン張り装置を設けたロータリー耕耘装置の後面断面図、図３は本発明のチェーン張り装置を設けたチェーンケースの側面断面図、図４は同じくチェーンケース上部の後面断面図、図５は従来例のチェーン張り装置を設けたチェーンケースの側面断面図、図６は同じくチェーンケース上部の後面断面図である。
【０００６】
まず、本発明に係わるチェーン張り装置を装備したロータリー耕耘装置の全体構成を図１、図２により説明する。トラクター１２のエンジンフレーム１３の前部に前輪１４を懸架し、後部のミッションケース３５に後輪１５を支持し、該後輪１５の上方に設けた座席１６に着座してハンドル１７を左右に回動し、前輪１４を操舵してトラクター１２を走行させる。
該トラクター１２の後部には、左右中央上方のアッパーリンク１８と左右両側下部のロワーリンク１９等からなる３点リンク式作業機装着装置２０をを介して、ロータリー耕耘装置２１を着脱自在に取り付けている。
該ロータリー耕耘装置２１の左右にチェーンケース５と支持フレーム２２が設けられ、該左右のチェーンケース５と支持フレーム２２の上部の間は、左右の支持パイプ２３・２３とギアボックス２４により一体的に連結され、該支持パイプに支持プレートを固設して、該支持プレートに前記ロワーリンク１９の後端を連結する構成としている。
【０００７】
また、トラクター１２の後部には、油圧シリンダを内装したシリンダケースを設け、該シリンダーケースよりリフトアーム２５を後方に突出し、該リフトアーム２５先端と前記ロワーリンク１９間をリフトロッド２６・２６で連結し、油圧シリンダーを伸縮させることでロータリー耕耘装置２１の昇降を行っているのである。図中の２７は昇降操作レバーである。
【０００８】
前記ミッションケース３５の後面にはＰＴＯ軸が突出され、図示せぬユニバーサルジョイントを介してロータリー耕耘装置２１の左右方向中央に設けた入力軸２８に動力が伝達される。
そして、該ミッションケース３５内でＰＴＯ軸の正逆転を切り換えられるようにしている。前記入力軸２８はギアボックス２４より前方に突出され、該ギアボックス２４内には一対のベベルギアが収納され、該ベルトを介して、駆動軸３２が駆動される。該駆動軸３２の他端は前記チェーンケース５内に挿入されて回転自在に支持され、該駆動軸３２の他端上に駆動スプロケット２が固設されている。
前記チェーンケース５と支持フレーム２２の下部の間には耕耘爪軸３０が回転自在に支持され、該耕耘爪軸３０のチェーンケース５内に挿入した一端上には従動スプロケット３が固設され、該従動スプロケット３と前記駆動スプロケット２との間にはチェーン１１が巻回されており、前記ＰＴＯ軸からの動力が駆動スプロケット２、チェーン１１、従動スプロケット３を介して耕耘爪軸３０が駆動される構成としている。該耕耘爪軸３０上には耕耘爪２９・２９・・・が植設されている。
【０００９】
次に、本発明の正逆ロータリー耕耘装置におけるチェーン張り装置について、図３乃至図６により説明する。
前記チェーンケース５は左右のケースと上部の開口を閉じる蓋６からなり、これらはボルト締めで固定されている。
従来のチェーン張り装置は、図５、図６に示すように、蓋６からは支持板８に補強されたステー７’が、チェーンケース５の前内面からはステー７が別々に突設され、各ステー７・７’の下端にチェーン張り４１・４１’の上端部が各々ピン４’・４により枢結され、該チェーン張り４１・４１’の下端は下方に延設されて、下端に設けた摺動部材３３・３３がチェーンケース５の前後内面に当接され、略前後対称に配置されている。
【００１０】
これに対し、本発明は、図３、図４に示すように、蓋６の略中央部下面から支え部材３１が垂設され、該支え部材３１下部に、プレートを略逆「Ｕ」字状に構成した可動ステー１０の前後方向中央部がピン９により回動自在に枢支され、該ステー１０の両端部に、チェーン張り１・１’の上端部が各々ピン４、４’により枢結されている。
但し、前記ピン９はチェーンケース５より突出して可動ステー１０を支持する構成とすることもできる。また、可動ステー１０をチェーンケース５上部に円弧状のガイドで摺動するだけの構成とすることもできる。
前記チェーン張り１、１’の下端部にはそれぞれ摺動部材３３・３３が取り付けられており、該摺動部材３３は摩擦抵抗が小さい部材で構成され、チェーンケース５の前後内壁面に当接されて、チェーン張り１、１’がチェーン１１の張りにより押圧されたときに、摺動部材３３・３３がチェーンケース５の内壁面を滑って容易にたわむことができるようにしている。
【００１１】
【発明の効果】
本発明は以上の如く構成したので、次のような効果を奏するのである。
このような構成において、ＰＴＯ軸を正転させると、駆動スプロケット２は図３に示す矢印の如く回転される。この回転によって後側（駆動軸３２と耕耘爪軸３０の軸心を結ぶ線を中央とし、その後側）のチェーン１１が張られる（張り側）ため、チェーン張り１’は外側に直線状の円弧となるようにたわませようとする。
【００１２】
このとき、チェーン張り１’の上端部は可動ステー１０に枢結されているので、該可動ステー１０はピン９を支点にして後側へ揺動し、該可動ステー１０の後端がチェーンケース５の上部内壁に当たるまで回動し、チェーン張り１’は可動ステー１０を枢結するピン４’は後側へ移動する。
よって、チェーン張り１’の上部が後方へ逃げるようになり、そのたわみ量は従来に比べて小さくすることができ、チェーン張り１’のチェーン１１への押圧力は弱められ、また、接触長さも短くすることができる。
【００１３】
他方、弛み側においては、前記可動ステー１０の後方への回動によって、該可動ステー１０とチェーン張り１上部とを枢支するピン４は、内側（後方）に移動するため、チェーン１１に近づくことになり、同じバネ力であれば強く内側へ付勢することができ、また、接触長さを長くすることができる。
【００１４】
従って、張り側ではチェーン張り１’の押圧力が弱められて、たわみも小さいので、チェーン張り１’が破損することはなく、弛み側では強く付勢してチェーンのたるみを無くし、効率よく押さえて脈動を低減させ、騒音も減少することができるのである。また、ＰＴＯ軸を逆転駆動（図３の矢印と逆方向）した時には、本発明のチェーン張り装置は前後略対称に構成しているので、前記とは逆に、後側のチェーン張り１’が弛み側となり、前側のチェーン張り１が張り側となり、上述と同様に作用する。
【００１５】
すなわち、駆動スプロケットと従動スプロケットの間にチェーンを巻回して、正逆転動力を伝動可能としたチェーン伝動機構のチェーン張り装置において、駆動スプロケットと従動スプロケットの間のチェーンの両外側に、チェーン張りを一対設け、各チェーン張りの一端を可動ステーの両端に連結し、チェーン張りの他端をチェーンケース内面に当接させるとともに、前記可動ステーをチェーンケースに揺動自在に支持したので、正逆転させたときに、張り側において、チェーン張りに働く応力を軽減する方向に可動ステーが揺動して破損などのトラブルを防ぎ、更には、弛み側ではチェーンを強く張って騒音を低減し、脈動を低減して円滑な駆動を可能とすることができたのである。
【図面の簡単な説明】
【図１】本発明のチェーン張り装置を有するロータリ耕耘装置を装着したトラクターの全体側面図である。
【図２】本発明のチェーン張り装置を設けたロータリー耕耘装置の後面断面図である
【図３】本発明のチェーン張り装置を設けたチェーンケースの側面断面図である。
【図４】同じくチェーンケース上部の後面断面図である。
【図５】従来例のチェーン張り装置を設けたチェーンケースの側面断面図である。
【図６】同じくチェーンケース上部の後面断面図である。
【符号の説明】
１  弛み側チェーン張り
１’  張り側チェーン張り
１０  可動ステー
２１  ロータリ耕耘装置
【図１】
0003576369.tif 000002
【図２】
0003576369.tif 000003
【図３】
0003576369.tif 000004
【図４】
0003576369.tif 000005
【図５】
0003576369.tif 000006
【図６】
0003576369.tif 000007